(57)【要約】      （修正有）【課題】装飾性と経済性とを兼ね備えた装飾体付きキャンドルを提供する。【解決手段】芯体２の外周にその上端部２ａを残して所定幅の蝋材層３が形成されたベース部４と、下面に芯体２の上端部２ａが嵌め入れられる凹部５が形成され、上部には芯糸１０が立設された蝋材製の燃焼部６と、燃焼部６とベース部４との間に介在された装飾体８とを有し、ベース部４上に燃焼部６が載置されるようになされており、使用の度に燃焼部６だけを交換し、ベース部４は繰り返し使用できるようになされている。【選択図】図１
0003162775.tif 000002
【実用新案登録請求の範囲】
【請求項１】
芯体の外周にその上端部を残して所定幅の蝋材層が形成されたベース部と、下面に芯体の上端部が嵌め入れられる凹部が形成され、上部には芯糸が立設された蝋材製の燃焼部と、燃焼部とベース部との間に介在された装飾体とを有し、ベース部上に燃焼部が載置されるようになされている、キャンドル。
【請求項２】
芯体が円柱状または円筒状であり、ベース部と燃焼部が同一外径の円柱状である、請求項１記載のキャンドル。
【請求項３】
装飾体が、生花、造花、プリサードフラワー、毛糸球、飾り布または蝋材製の造形物のうちのいずれかであることを特徴とする、請求項１または請求項２記載のキャンドル。
【請求項４】
装飾体が生花であって、ベース部の芯体上端部内に給水スポンジが収容されたコップ状物が嵌め入れられ、該コップ状物および芯体上端部には、互いに連通する透孔と通し孔があけられ、ベース部と燃焼部との間には間隙が形成されており、該間隙から透孔および通し孔を通って生花が給水スポンジに刺し込まれている、請求項３記載のキャンドル。
【考案の詳細な説明】
【技術分野】
【０００１】
本考案は、主としてレストランや結婚披露等における演出に用いられる装飾体付きキャンドルに関する。
【背景技術】
【０００２】
一般に、キャンドルは、パラフィン蝋からなる円柱状本体の軸心に綿糸等からなる芯が入れられたものである。
【０００３】
キャンドルは、実用照明として用いられたり、祭壇や仏壇等における宗教儀式に用いられる他、レストランや結婚披露宴におけるテーブル上に置かれて、神秘的でロマンチックな雰囲気を醸し出す演出にも多く用いられている。また、近年、キャンドルの光と共に香りを楽しむようにしたアロマキャンドルも種々利用されている。
【先行技術文献】
【特許文献】
【０００４】
【特許文献１】特開２００４−１４３３１８号公報
【特許文献２】特開２００４−３６２９２３号公報
【考案の概要】
【考案が解決しようとする課題】
【０００５】
レストランや結婚披露宴等で用いられるキャンドルは、通常使い捨てとなっているため、一度火が付けられたキャンドルはその使用時間にかかわらず、廃棄処分となる。そのため、例えば短時間しか使用されていないキャンドルであっても、多くの未使用部分があるにもかかわらず、捨てられることとなり、経済的にも資源的にも好ましくない。
【０００６】
また、全体がキャンドルの形状をした筒状本体の上部における凹部に略皿状の台座部材を嵌め入れ、該台座部材内に小型のキャンドルからなる燃焼部を収容し、筒状本体の下部から流入した空気が燃焼部の燃焼に伴って上昇することにより、安定的な灯りが得られるようにした燃焼部交換式キャンドルも知られている。
【０００７】
しかしながら、前述したキャンドルの場合、本体はそのまま繰り返して使用できるものの、装飾性が全くないという欠点があった。
【０００８】
本考案の目的は、装飾性と経済性とを兼ね備えた装飾体付きキャンドルを提供することなる。
【課題を解決するための手段】
【０００９】
請求項１記載の本考案は、芯体の外周にその上端部を残して所定幅の蝋材層が形成されたベース部と、下面に芯体の上端部が嵌め入れられる凹部が形成され、上部には芯糸が立設された蝋材製の燃焼部と、燃焼部とベース部との間に介在された装飾体とを有し、ベース部上に燃焼部が載置されるようになされているキャンドルである。なお、キャンドルの全体形状は、円柱状の他、球状、円錐状或いは瓢箪状等、任意の形状となされる。
【００１０】
請求項２記載の本考案は、前記請求項１記載のキャンドルについて、芯体が円柱状または円筒状であり、ベース部と燃焼部が同一外径の円柱状であることを特徴とするものである。
【００１１】
請求項３記載の本考案は、前記請求項１または請求項２記載のキャンドルについて、装飾体が、生花、造花、プリサードフラワー、毛糸球、飾り布または蝋材製の造形物のうちのいずれかであることを特徴とするものである。なお、蝋材製の造形物とは、例えばパラフィン蝋を用いて花びらや動物等の形態に成形されたものが挙げられる。また、蝋材としては、例えばディップアンドカーブワックスが挙げられる。
【００１２】
請求項４記載の本考案は、前記請求項３記載のキャンドルについて、装飾体が生花であって、ベース部の芯体上端部内に給水スポンジが収容されたコップ状物が嵌め入れられ、該コップ状物および芯体上端部には、互いに連通する透孔と通し孔があけられ、ベース部と燃焼部との間には間隙が形成されており、該間隙から透孔および通し孔を通って生花が給水スポンジに刺し込まれていることを特徴とするものである。
【考案の効果】
【００１３】
本考案のキャンドルによれば、使用の度に燃焼部だけを交換し、ベース部は繰り返して使用することができるため、経済的である。また、この点は、キャンドルの外径が太いほどより効果的である。
【００１４】
また、本考案のキャンドルでは、ベース部と燃焼部との間に装飾体が介在されているため、従来の一般的なキャンドルに比べて美観を高めることができる。
【図面の簡単な説明】
【００１５】
【図１】実施形態に係るキャンドルの分解斜視図である。
【図２】同実施形態に係るキャンドルの斜視図である。
【図３】同実施形態に係るキャンドルの縦断面図である。
【図４】他の実施形態に係るキャンドルの分解斜視図である。
【図５】同実施形態に係るキャンドルの斜視図である。
【考案を実施するための形態】
【００１６】
次に、本考案の実施形態を図面にしたがって説明するが、本考案はかかる実施形態に限定されるものでない。
【００１７】
図１〜図３に示すように、本実施形態のキャンドル１は、紙製またはプラスチック製の円筒状芯体２の外周に、その上端部分を残して一定幅の蝋材層３が一体に形成されたベース部４と、ベース部４と同一外径であって、上部には芯糸１０が立設され、下面にはベース部４の上面から突出した芯体２の上端部２ａに嵌合する凹部５が形成された蝋材製の円柱状燃焼部６と、芯体２の上端部２ａの周縁に一定間隔をあけて形成された複数の透孔７に刺し込まれた装飾体としての生花８と、芯体２の内径と一致する外径となされ、上縁には芯体２の上端部２ａに掛止されるフランジ９を有し、外周に芯体２の透孔７と連通する通し孔１１が形成されたコップ状物１２と、コップ状物１２内に収容された給水スポンジ１３とを有しているものである。
【００１８】
次に、本実施形態に係るキャンドル１の使用要領について説明すると、予めコップ状物１２内に水を含ませた給水スポンジ１３を入れ、このコップ状物１２をベース部４における芯体２の上端部２ａ内に嵌め入れておき、その後、コップ状物１２の通し孔１１およびこれに連通する芯体２の透孔７から生花８を刺し込んで最終的に給水スポンジ１３に刺すことで、複数の生花８がベース部４の上面４ａから外方に放射状に飾られた状態となる。次に、燃焼部６をベース部４上に嵌め被せることで、本実施形態に係るキャンドル１が完成する。
【００１９】
なお、本実施形態のキャンドル１では、ベース部４上に燃焼部６を嵌め被せた状態において、これら両部材間に生花８を通すための間隙１４が形成されるようになされている。このような構造とすることで、生花８はベース部４と燃焼部６とに挟まれることがないため、生花８が損傷せず、劣化が防止される。
【００２０】
そして、燃焼部６における芯糸１０に火をつければ、燃焼部６が順次、融解して灯りがともされる。当該キャンドル１の使用後においては、融解した燃焼部６をベース部４から取り外し、新たな燃焼部６をベース部４に嵌め被せるだけで当該キャンドル１が再生される。
【００２１】
また、生花８も時間の経過と共に萎れるため、燃焼部６のように毎回交換する必要はないものの、ある程度時間が経てば取り換えるようにする。しかしながら、装飾体として人工的に造られたプリサードフラワーを使用すれば、装飾体も長期にわたって交換不要となる。更に、装飾体としてのディップアンドカーブワックス製の花びらをベース部４の上縁全周に固着させることでベース部４と燃焼部６との繋ぎ目を隠すようにすることもある。
【００２２】
図４および図５に示すキャンドル２１は、前記実施形態の変形例であって、基本的な構造については、前記実施形態と同様であるため、同じ符号を付すことによって基本的構造についての説明を省略する。
【００２３】
キャンドル２１は、前記実施形態と同様、円筒状の芯体２２を有するベース部４に芯糸１０を有する円柱状の燃焼部６が嵌め被せられたものであるが、本実施形態では、図４に示すように、ベース部４に装飾体として飾り布２８が掛けられ、またベース部４と燃焼部６との間にシリコンゴム等からなる耐熱性のドーナツ状シート２０が介在されている。
【００２４】
本実施形態のキャンドル２１によれば、前記実施形態と同様、使用の度に燃焼部６だけを交換し、ベース部４は繰り返して使用することができる。また、装飾体としての飾り布２８によって柔らかな外観・雰囲気が得られる。
【００２５】
また、本実施形態では、ベース部４と燃焼部６との間に耐熱性シート２０が介在されているため、燃焼部６を構成する蝋材がベース部４上へ流れる落ちる場合でも、耐熱シート２０の存在によって、ベース４の上端部が融けることがない。
【産業上の利用可能性】
【００２６】
本考案のキャンドルは、前述したように、使用にあたって燃焼部だけを交換し、ベース部は繰り返して使用できるため、経済的であり、また装飾体によって美感にも優れているため、ブライダルやレストラン等の業界において幅広い利用が期待できる。
【符号の説明】
【００２７】
１  キャンドル
２  芯体
３  蝋材層
４  ベース部
５  芯糸
６  燃焼部
８  生花
１２  コップ状物
【図１】
0003162775.tif 000003
【図２】
0003162775.tif 000004
【図３】
0003162775.tif 000005
【図４】
0003162775.tif 000006
【図５】
0003162775.tif 000007